(57)【要約】【課題】押えローラの位置決め精度が比較的ラフでよく、しかも、被記録媒体が薄紙等である場合にも良好に皺を伸ばすことができる画像形成装置の提供。【解決手段】  ベルトユニット２０の取っ手部２１０に揺動可能に設けられ、レジストローラから送られた用紙を搬送ベルト２３上に案内するシュート２１１の先端には、搬送ベルト２３の外周面（搬送面）に圧接される押えローラ２２０が設けられている。この押えローラ２２０の位置は、（Ａ）に示す位置と（Ｂ）に示す位置とに調整可能で、（Ａ）に示すように、最も上流側の転写ローラ２４とテンションローラ２２との間で押えローラ２２０が搬送ベルト２３の外周面（搬送面）を押圧して撓ませる場合、用紙の皺を極めて良好に伸ばすことができる。一方、用紙が腰の強い厚紙等である場合には押えローラ２２０の位置を（Ｂ）の位置に配設すれば良好な搬送が行える。【選択図】図３
0003166444.tif 000002
【実用新案登録請求の範囲】
【請求項１】
回転軸を平行に揃えて設けられ、少なくとも１つが回転駆動可能に構成された複数のベルトローラと、
該複数のベルトローラの間に架設された無端ベルトと、
上記いずれのベルトローラとも上記無端ベルトを挟んで対向しない位置に、上記各ベルトローラと回転軸を平行に揃えて設けられ、上記少なくとも１つのベルトローラを介して上記無端ベルトが駆動されたとき、上記無端ベルトの外周面に被記録媒体を押し付ける押えローラと、
該押えローラを介して上記外周面に押し付けられることによって上記駆動された無端ベルトにより搬送された被記録媒体に、画像を形成する画像形成手段と、
上記押えローラの上記無端ベルトに対する位置を上記外周面に交差する方向に調整可能で、少なくとも上記押えローラを最も上記無端ベルトの内周側に配置したときには、上記無端ベルトの外周面を上記押えローラによって押圧して上記無端ベルトを撓ませるローラ位置調整手段と、
を備えたことを特徴とする画像形成装置。
【請求項２】
上記ベルトローラは２つ設けられ、
一方のベルトローラは回転駆動可能に構成され、他方のベルトローラは上記無端ベルトに張力を与える方向に付勢され、
上記無端ベルトが上記他方のローラ側から上記一方のローラ側へ被記録媒体を搬送する請求項１記載の画像形成装置であって、
上記押えローラは、上記他方のローラとの対向位置よりも上記画像形成手段寄りに設けられたことを特徴とする画像形成装置。
【請求項３】
上記画像形成手段は、上記無端ベルト及びその無端ベルトによって搬送される被記録媒体を通って通電される転写電流を利用して電子写真方式で画像を形成することを特徴とする請求項１または２記載の画像形成装置。
【請求項４】
少なくとも上記ローラ位置調整手段が上記押えローラを最も上記無端ベルトの内周側に配置したときには、上記押えローラによる上記無端ベルトの外周面に対する押圧量が端縁部に比べて中心部の方が大きいことを特徴とする請求項１〜３のいずれかに記載の画像形成装置。
【請求項５】
上記押えローラと上記無端ベルトとの間に被記録媒体を案内する案内手段を、
更に備え、
上記押えローラは、上記案内手段に回転可能に支持され、
上記ローラ位置調整手段は、上記案内手段の位置または姿勢を調整することにより上記押えローラの位置を調整することを特徴とする請求項１〜４のいずれかに記載の画像形成装置。
【考案の詳細な説明】
【技術分野】
【０００１】
本考案は、被記録媒体に画像を形成する画像形成装置に関し、詳しくは、複数のベルトローラの間に架設された無端ベルトによって被記録媒体を搬送して画像を形成する画像形成装置に関する。
【背景技術】
【０００２】
従来より、タンデム型のカラープリンタをはじめとする各種画像形成装置において、複数のベルトローラの間に架設された無端ベルトによって被記録媒体を搬送して画像を形成することが提案されている。この場合、無端ベルト上に被記録媒体を平らに伸ばして搬送させることが、正確な画像を形成する上で重要となる。そこで、無端ベルトの外周面に被記録媒体を押し付ける押えローラを設け、かつ、その押えローラと上記無端ベルトを挟んで対向するバックアップローラを設けることにより、被記録媒体を無端ベルト上で伸ばすことが提案されている（例えば、特許文献１参照）。
【先行技術文献】
【特許文献】
【０００３】
【特許文献１】特開２０００−１５５４７９号公報
【考案の概要】
【考案が解決しようとする課題】
【０００４】
ところが、このように押えローラをバックアップローラと対向させる場合、両ローラの位置合せを正確に行う必要があった。両ローラの回転軸を平行に保ち、かつ、両ローラの中心を結ぶ線が無端ベルトの搬送面に垂直となるようにしなければ、被記録媒体が薄紙である場合等に十分に皺を伸ばせない場合があった。無端ベルトによって搬送される被記録媒体に皺が残っていると、その部分の画像が欠落する可能性がある。
【０００５】
そこで、本考案は、押えローラの位置決め精度が比較的ラフでよく、しかも、被記録媒体が薄紙等である場合にも良好に皺を伸ばすことができる画像形成装置の提供を目的としてなされた。
【課題を解決するための手段】
【０００６】
上記目的を達するためになされた本考案の画像形成装置は、回転軸を平行に揃えて設けられ、少なくとも１つが回転駆動可能に構成された複数のベルトローラと、該複数のベルトローラの間に架設された無端ベルトと、上記いずれのベルトローラとも上記無端ベルトを挟んで対向しない位置に、上記各ベルトローラと回転軸を平行に揃えて設けられ、上記少なくとも１つのベルトローラを介して上記無端ベルトが駆動されたとき、上記無端ベルトの外周面に被記録媒体を押し付ける押えローラと、該押えローラを介して上記外周面に押し付けられることによって上記駆動された無端ベルトにより搬送された被記録媒体に、画像を形成する画像形成手段と、上記押えローラの上記無端ベルトに対する位置を上記外周面に交差する方向に調整可能で、少なくとも上記押えローラを最も上記無端ベルトの内周側に配置したときには、上記無端ベルトの外周面を上記押えローラによって押圧して上記無端ベルトを撓ませるローラ位置調整手段と、を備えたことを特徴としている。
【０００７】
このように構成された本考案では、回転軸を平行に揃えて設けられた複数のベルトローラの間に無端ベルトが架設されており、そのベルトローラのうち少なくとも１つが回転駆動されることにより、無端ベルトが駆動されて被記録媒体を搬送可能となる。また、上記いずれのベルトローラとも無端ベルトを挟んで対向しない位置には、上記各ベルトローラと回転軸を平行に揃えて押えローラが設けられており、上記無端ベルトが駆動されたとき、その押えローラは上記無端ベルトの外周面に被記録媒体を押し付ける。そして、この押えローラを介して上記無端ベルトの外周面に押し付けられて搬送された被記録媒体には、画像形成手段によって画像が形成される。
【考案の効果】
【０００８】
ここで、上記押えローラの上記無端ベルトに対する位置は、ローラ位置調整手段によって無端ベルトの外周面に交差する方向に調整可能である。そして、少なくとも押えローラを最も無端ベルトの内周側に配置したときには、無端ベルトの外周面を押えローラによって押圧してその無端ベルトを撓ませることができる。被記録媒体が薄紙等の場合、このように無端ベルトの外周面を押えローラによって押圧して撓ませ、その無端ベルトと押えローラとの間を通ってその薄紙等を搬送することにより、その薄紙等の皺を極めて良好に伸ばして画像形成手段に搬送することができる。このため、皺の寄り易い薄紙等にも画像の欠落が生じるのを良好に抑制することができる。
【０００９】
また、押えローラはいずれのベルトローラとも無端ベルトを挟んで対向しない位置に設けられているので、その位置決め精度は比較的ラフであっても上記効果が生じる。更に、押えローラの無端ベルトに対する位置は上記のように調整可能であるので、厚紙等の搬送時には押えローラの位置を無端ベルトの外周方向に移動させれば、腰の強い厚紙等も良好に搬送することができる。
【００１０】
なお、本考案は以下の構成に限定されるものではないが、上記ベルトローラは２つ設けられ、一方のベルトローラは回転駆動可能に構成され、他方のベルトローラは上記無端ベルトに張力を与える方向に付勢され、上記無端ベルトが上記他方のローラ側から上記一方のローラ側へ被記録媒体を搬送する請求項１記載の画像形成装置であって、上記押えローラは、上記他方のローラとの対向位置よりも上記画像形成手段寄りに設けられてもよい。
【００１１】
このように、ベルトローラが２つ設けられ、一方のベルトローラが回転駆動され、他方のベルトローラが無端ベルトに張力を与える方向に付勢されたいわゆるテンションローラとされた場合、テンションローラの位置は無端ベルトの伸び縮みに応じて変化する。上記のように、押えローラがテンションローラとの対向位置よりも画像形成手段寄りに設けられた場合、テンションローラの位置が変化しても被記録媒体の搬送に及ぶ影響が少なく、薄紙等の皺を安定して伸ばすことができる。
【００１２】
また、上記画像形成手段は、上記無端ベルト及びその無端ベルトによって搬送される被記録媒体を通って通電される転写電流を利用して電子写真方式で画像を形成するものであってもよい。このような画像形成手段を利用した場合、被記録媒体に皺が寄って無端ベルトから浮き上がると転写電流が流れ難くなり、画像の欠落が生じ易くなる。このため、このような画像形成手段を利用した画像形成装置に本考案を適用した場合、被記録媒体の皺を伸ばして画像の欠落を抑制する上記効果が一層顕著に表れる。
【００１３】
また、少なくとも上記ローラ位置調整手段が上記押えローラを最も上記無端ベルトの内周側に配置したときには、上記押えローラによる上記無端ベルトの外周面に対する押圧量が端縁部に比べて中心部の方が大きくてもよい。この場合、上記皺を伸ばす作用を被記録媒体の中心部から及ぼすことができ、一層良好に皺を伸ばすことができる。
【００１４】
また、上記押えローラと上記無端ベルトとの間に被記録媒体を案内する案内手段を、更に備え、上記押えローラは、上記案内手段に回転可能に支持され、上記ローラ位置調整手段は、上記案内手段の位置または姿勢を調整することにより上記押えローラの位置を調整してもよい。この場合、押えローラが案内手段に回転可能に支持されており、案内手段による被記録媒体の案内と押えローラにより皺を伸ばす動作とが一連の動作としてなされるので、被記録媒体の皺を一層良好に伸ばすことができる。
【図面の簡単な説明】
【００１５】
【図１】本考案が適用された画像形成装置の概略構成を表す側断面図である。
【図２】その画像形成装置のベルトユニットの全体構成を表す斜視図である。
【図３】そのベルトユニットの取っ手部近傍の構成を表す側断面図である。
【図４】そのベルトユニットのスライダの構成を表す側面図，側断面図である。
【考案を実施するための形態】
【００１６】
次に、本考案の実施の形態を図面と共に説明する。図１は、本考案が適用された画像形成装置１の概略構成を示す側断面図である。なお、以下の説明においては、図１における右側を前方とする。
【００１７】
（画像形成装置の全体構成）
この画像形成装置１は、直接転写タンデム方式のカラープリンタであって、図１に示すように、略箱型の筐体２を備えている。筐体２の前面には、手差しトレイを兼ねる開閉可能な前面カバー３が設けられており、この前面カバー３を開放することにより、後述のベルトユニット２０に向かって手差し用紙を供給することが可能となる。また、筐体２の上面には、画像形成後の被記録媒体としての用紙４が積載される排紙トレイ５Ａが形成されている。更に、その排紙トレイ５Ａが一体に設けられて画像形成装置１を上方から覆うトップカバー５は、画像形成装置１の後方上端を中心にして開閉可能に設けられている。このトップカバー５を開放することにより、後述の画像形成ユニット３０及びベルトユニット２０を筐体２の内部から上方へ引き出すことが可能となる。
【００１８】
筐体２の下部には、画像を形成するための用紙４が収容される給紙トレイ７が前方へ引き出し可能に装着されている。給紙トレイ７内には、用紙４の前端側を持ち上げるように傾動可能な用紙押圧板９が設けられている。また、給紙トレイ７の前端上方位置には、用紙４を搬送する給紙ローラ１１が設けられ、その給紙ローラ１１による搬送方向下流側には、給紙ローラ１１にて搬送される用紙４を１枚毎に分離する分離ローラ１２と分離パッド１３とが設けられている。
【００１９】
給紙トレイ７の最上位の用紙４は、分離ローラ１２によって１枚毎に分離された後、更に、一対の搬送ローラ１４によって搬送され、レジストローラ１５へ送られる。レジストローラ１５では、その用紙４を所定のタイミングで、後方のベルトユニット２０上へ送り出す。
【００２０】
ベルトユニット２０は、筐体２に対して着脱可能とされており、前後に離間して配置されたベルト駆動ローラ２１（一方のベルトローラの一例），テンションローラ２２（他方のベルトローラの一例）の間に水平に架設される搬送ベルト２３（無端ベルトの一例）を備えている。搬送ベルト２３は、ポリカーボネート等の樹脂材からなる無端状のベルトであり、後側のベルト駆動ローラ２１が図示しないモータにより回転駆動されることにより図１の反時計回り方向に循環移動して、その上面に載せた用紙４を後方へ搬送する。また、テンションローラ２２は、ベルト駆動ローラ２１と回転軸を平行に揃えて設けられ、後述のバネ２４０（図４参照）によって前方に付勢されることで搬送ベルト２３に適度な張力を与えている。
【００２１】
（画像形成部の構成）
搬送ベルト２３の内側には、後述する画像形成ユニット３０が有する各感光体ドラム３１と対向配置される４つの転写ローラ２４が前後方向に一定間隔で並んで設けられ、各感光体ドラム３１と対応する転写ローラ２４との間に搬送ベルト２３を挟んだ状態となっている。転写時には、この転写ローラ２４と感光体ドラム３１との間に転写バイアスが印加され、所定量の転写電流が通電される。また、ベルトユニット２０の下側には、搬送ベルト２３に付着したトナーや紙粉等をクリーニングローラ４１を介して除去する周知のベルトクリーナ４０が設けられている。
【００２２】
画像形成ユニット３０は、ＬＥＤユニット５０と対をなしてブラック，シアン，マゼンタ，イエローの各色に対応して４機ずつ設けられていると共に、それら画像形成ユニット３０，ＬＥＤユニット５０は、用紙の搬送方向に沿って直列に設けられている。なお、各色に対応する画像形成ユニット３０，ＬＥＤユニット５０，転写ローラ２４が画像形成手段の一例に相当する。
【００２３】
各画像形成ユニット３０は、像担持体としての感光体ドラム３１、スコロトロン型帯電器３２、及び現像装置としての現像カートリッジ３４等を備えて構成されている。感光体ドラム３１は、接地された金属製のドラム本体を備え、その表層をポリカーボネートなどからなる正帯電性の感光層で被覆することにより構成されている。スコロトロン型帯電器３２は、感光体ドラム３１の後側斜め上方において、感光体ドラム３１と接触しないように所定間隔を隔てて、感光体ドラム３１と対向配置されている。このスコロトロン型帯電器３２は、タングステン等の帯電用ワイヤからコロナ放電を発生させることにより、感光体ドラム３１の表面を一様に正極性に帯電させる。
【００２４】
現像カートリッジ３４は、略箱形をなし、その内部には、上部にトナー収容室３５が設けられ、その下側に供給ローラ３６、現像ローラ３７、及び層厚規制ブレード３８が設けられている。各現像カートリッジ３４のトナー収容室３５には、現像剤として、ブラック、シアン、マゼンタまたはイエローの各色の正帯電性非磁性１成分トナーがそれぞれ収容されている。
【００２５】
トナー収容室３５から放出されたトナーは、供給ローラ３６の回転により現像ローラ３７に供給され、供給ローラ３６と現像ローラ３７との間で正に摩擦帯電される。更に、現像ローラ３７上に供給されたトナーは、現像ローラ３７の回転に伴って、層厚規制ブレード３８と現像ローラ３７との間に進入し、ここで更に充分に摩擦帯電されて、一定厚さの薄層として現像ローラ３７上に担持される。
【００２６】
感光体ドラム３１の表面は、その回転時、先ずスコロトロン型帯電器３２により一様に正帯電される。その後、ＬＥＤユニット５０の下端に用紙幅方向（図１の表裏面方向）に一列に配設されたＬＥＤ（図示省略）により露光されて、用紙４に形成すべき画像に対応した静電潜像が形成される。
【００２７】
次いで、現像ローラ３７の回転により、現像ローラ３７上に担持され正帯電されているトナーが、感光体ドラム３１に対向して接触するときに、感光体ドラム３１の表面上に形成されている静電潜像に供給される。これにより、感光体ドラム３１の静電潜像は、可視像化され、感光体ドラム３１の表面には、露光部分にのみトナーが付着したトナー像が担持される。
【００２８】
その後、各感光体ドラム３１の表面上に担持されたトナー像は、搬送ベルト２３によって搬送される用紙４が感光体ドラム３１と転写ローラ２４との間を通る際に、上記転写電流によって、用紙４に順次転写される。こうして各色のトナー像が重ねて転写された用紙４は、次いで定着器６０に搬送される。
【００２９】
定着器６０は、筐体２内における搬送ベルト２３の後方に配置されている。この定着器６０は、ハロゲンランプ等の熱源を備えて回転駆動される加熱ローラ６１と、加熱ローラ６１の下方において、加熱ローラ６１を押圧するように対向配置され従動回転される加圧ローラ６２とを備えている。この定着器６０では、各色のトナー像が転写された用紙４を、加熱ローラ６１と加圧ローラ６２とによって狭持搬送しながら加熱することにより、トナー像を用紙４に定着させる。そして、トナー像が定着された用紙４は、定着器６０の斜め後上方に配置された搬送ローラ６３により更に搬送され、筐体２の上部に設けられた排紙ローラ６４により、前述の排紙トレイ５Ａ上に排出される。
【００３０】
（ベルトユニットの構成）
次に、ベルトユニット２０の構成について、更に詳細に説明する。図２は、ベルトユニット２０の全体構成を表す斜視図であり、図３は、そのベルトユニット２０の取っ手部２１０近傍の構成を表す側断面図である。図２，図３に示すように、ベルトユニット２０は、トップカバー５（図１参照）側からベルトユニット２０を着脱するための取っ手部２１０と一体成形されたフレーム２００を備えており、このフレーム２００には、前述のベルト駆動ローラ２１，テンションローラ２２，転写ローラ２４が回転可能に支持されている。
【００３１】
また、取っ手部２１０には、レジストローラ１５から送られた用紙４を搬送ベルト２３上に案内する案内手段の一例としてのシュート２１１が、取っ手部２１０の用紙幅方向両端近傍に設けられた一対のボス２１２を中心に揺動可能に設けられている。また、各ボス２１２には、捻りコイルバネ２１３が外嵌され（図２では一方のみ図示）、この捻りコイルバネ２１３の付勢力によって、シュート２１１の先端に設けられた押えローラ２２０が搬送ベルト２３の外周面（搬送面）に圧接される。なお、押えローラ２２０は、ベルト駆動ローラ２１，テンションローラ２２と回転軸を平行に揃えて設けられ、両端縁部に比べて中央部の方が大径に構成されたいわゆるクラウン形状を有している。
【００３２】
更に、図２に示すように、取っ手部２１０の用紙幅方向両端側面には、押えローラ２２０の位置を図３（Ａ），（Ｂ）に示すように調整するためのローラ位置調整手段の一例としてのスライダ２３０が設けられている。図４（Ａ）は、押えローラ２２０を図３（Ａ）の位置に配設した場合のスライダ２３０の外観を表す側面図であり、図４（Ｂ）は、押えローラ２２０を図３（Ｂ）の位置に配設した場合のスライダ２３０の外観を表す側面図である。また、図４（Ｃ），（Ｄ）は、それぞれ、図４（Ａ），（Ｂ）の位置に調整されたスライダ２３０の内部構造を表す側断面図である。なお、図４（Ｃ），（Ｄ）に示すように、テンションローラ２２を付勢する前述のバネ２４０は、テンションローラ２２を回転可能に支持する軸受け部２４２とフレーム２００に設けられた穴２０１の内壁面との間に弾発状に装着されている。
【００３３】
図４（Ａ），（Ｂ）に示すように、スライダ２３０は、フレーム２００に対して、操作部２３１を指で操作することにより前後方向に摺動可能に設けられている。また、スライダ２３０には、図４（Ｃ），（Ｄ）に示すように、押えローラ２２０の回転軸２２１の下方に挿入／抜き取り可能に構成されたスペーサ２３２が一体成形されている。このスペーサ２３２は、全体としては搬送ベルト２３の搬送面と平行な平板状に構成され、シュート２１１と一体に成形されて回転軸２２１を支持する軸受け部２１５の下方への挿入が容易となるように、押えローラ２２０に近接する側の端縁に面取りが施されている。
【００３４】
（押えローラ及びスライダの効果）
このように構成されたスライダ２３０が、図４（Ａ）に示すように前方に配設された場合、図４（Ｃ）に示すように、押えローラ２２０の回転軸２２１を支持する軸受け部２１５は、フレーム２００によって直接支持される。すると、図３（Ａ）に示すように、押えローラ２２０は、最も上流側の転写ローラ２４とテンションローラ２２との間で搬送ベルト２３の外周面（搬送面）を押圧して内周方向に撓ませる。一方、スライダ２３０が図４（Ｂ）に示すように後方に配設された場合、図４（Ｄ）に示すように、前述の軸受け部２１５はスペーサ２３２を挟んでフレーム２００上に支持される。すると、図３（Ｂ）に例示するように、押えローラ２２０は、最も上流側の転写ローラ２４とテンションローラ２２との間に平面状に張設された搬送ベルト２３の外周面にちょうど接触する位置に配設される。
【００３５】
このため、用紙４が薄紙等の場合、図３（Ａ）に示すように搬送ベルト２３の外周面を押えローラ２２０によって押圧して撓ませ、その搬送ベルト２３と押えローラ２２０との間を通って用紙４を搬送することにより、その用紙４の皺を極めて良好に伸ばすことができる。この場合、用紙４には各画像形成ユニット３０によって極めて良好に画像を形成することができ、その用紙４が皺の寄り易い薄紙等である場合にも画像の欠落が生じるのを良好に抑制することができる。しかも、本実施の形態では、押えローラ２２０がシュート２１１の先端に回転可能に支持されており、シュート２１１による用紙４の案内と押えローラ２２０により皺を伸ばす動作とが一連の動作としてなされるので、用紙４の皺を一層良好に伸ばすことができる。更に、本実施の形態では、押えローラ２２０がクラウン形状を有しており、上記皺を伸ばす作用を用紙４の中心部から及ぼすことができるので、一層良好に皺を伸ばすことができる。
【００３６】
また、本実施の形態では、押えローラ２２０はいずれのローラ（２１，２２，２４）とも搬送ベルト２３を挟んで対向しない位置に設けられているので、その位置決め精度は比較的ラフであっても上記効果が生じる。更に、押えローラ２２０の搬送ベルト２３に対する位置は上記のように搬送ベルト２３の外周面に交差する方向に調整可能であるので、用紙４が腰の強い厚紙等である場合には押えローラ２２０の位置を図３（Ｂ）の位置に配設すれば良好な搬送が行える。
【００３７】
（他の実施の形態）
なお、本考案は上記実施の形態になんら限定されるものではなく、本考案の要旨を逸脱しない範囲で種々の形態で実施することができる。例えば、押えローラ２２０の位置は搬送ベルト２３の外周面に交差する方向に３段階以上に調整可能であってもよいことはいうまでもなく、ローラ位置調整手段としても種々の形態が考えられる。また、上記実施の形態では、押えローラ２２０の位置が変化すると捻りコイルバネ２１３から加わる付勢力が変化するが、付勢力が変化しないような付勢機構を採用してもよい。更に、押えローラは用紙幅方向の中央近傍にのみ円柱状のものを設けてもよく、この場合も、上記皺を伸ばす作用を用紙４の中心部から及ぼすことができ、上記のように良好に皺を伸ばすことができるといった効果が生じる。また更に、押えローラは用紙幅方向全体に亘って円柱状のものを設けてもよい。
【００３８】
また、本考案は、無端ベルトが被記録媒体搬送方向に沿って架設される一対のベルトローラの他に、その一対のベルトローラの間から無端ベルトを上記搬送面とは反対方向に付勢する第３のベルトローラとしてテンションローラを備えた画像形成装置にも適用することができる。但し、上記実施の形態のようにベルトローラが２つ設けられ（ベルト駆動ローラ２１，テンションローラ２２）、一方がテンションローラ２２とされた場合、テンションローラ２２の位置は搬送ベルト２３の温度等による伸び縮みに応じて変化する。上記実施の形態では、押えローラ２２０がテンションローラ２２との対向位置よりも画像形成ユニット３０寄りに設けられているので、テンションローラ２２の位置が変化しても用紙４の搬送に及ぶ影響が少なく、用紙４の皺を安定して伸ばすことができる。
【００３９】
また更に本考案は、無端ベルトによって被記録媒体を搬送するものであれば、レーザ光によって感光体を露光するカラーレーザプリンタ，インクジェットプリンタ，モノクロプリンタ，ファクシミリ装置，複写機等、各種画像形成装置に適用することができる。但し、上記実施の形態のように電子写真方式で画像を形成する画像形成手段を利用した場合、被記録媒体に皺が寄って無端ベルトから浮き上がると上記転写電流が流れ難くなり、画像の欠落が生じ易くなる。このため、このような画像形成手段を利用した画像形成装置に本考案を適用した場合、被記録媒体の皺を伸ばして画像の欠落を抑制する上記効果が一層顕著に表れる。
【符号の説明】
【００４０】
１…画像形成装置          ４…用紙                  ２０…ベルトユニット
２１…ベルト駆動ローラ    ２２…テンションローラ    ２３…搬送ベルト
２４…転写ローラ          ３０…画像形成ユニット    ３１…感光体ドラム
３４…現像カートリッジ    ５０…ＬＥＤユニット      ２１１…シュート
２１２…ボス              ２１３…捻りコイルバネ    ２１５…軸受け部
２２０…押えローラ        ２３０…スライダ          ２３１…操作部
２３２…スペーサ          ２４０…バネ              ２４２…軸受け部
【図１】
0003166444.tif 000003
【図２】
0003166444.tif 000004
【図３】
0003166444.tif 000005
【図４】
0003166444.tif 000006